(57)【要約】【課題】カーボンブラシの作動中に発生するなどした埃や粉塵の侵入に対して電動モータ制御部材が保護されるブラシホルダを提供する。【解決手段】開口軸線Ａを規定する、ロータ３０のための開口１３を有するプレート状の基体１１と、カーボンブラシ１５が案内収容される、少なくとも１個のカーボン受容部１４と、電子機器の構成部材と、を備えるブラシホルダ１０において、プレート状の基体１１から突出する電子機器容器１２を備え、この電子機器容器１２はその開口軸線Ａ側の面２１において閉じており、電子機器の構成部材の少なくとも一部をその内部空間２２に収容するものとする。【選択図】図４
2010104224.tif 000002
【特許請求の範囲】
【請求項１】
開口軸線（Ａ）を規定する、ロータ（３０）のための開口（１３）を有するプレート状の基体（１１）と、カーボンブラシ（１５）が案内収容される、少なくとも１個のカーボン受容部（１４）と、電子機器の構成部材と、を備えるブラシホルダ（１０）において、
前記プレート状の基体（１１）から突出する電子機器容器（１２）であって、前記開口軸線（Ａ）側の側面（２１）が閉じており、前記電子機器の構成部材の少なくとも一部を内部空間（２２）に収容する該電子機器容器（１２）を特徴とするブラシホルダ。
【請求項２】
請求項１記載のブラシホルダにおいて、前記電子機器容器（１２）は、前記プレート状の基体（１１）と一体に構成されることを特徴とするブラシホルダ。
【請求項３】
請求項１または２記載のブラシホルダにおいて、前記電子機器容器（１２）は、前記開口軸線（Ａ）に平行に延在することを特徴とするブラシホルダ。
【請求項４】
請求項３記載のブラシホルダにおいて、前記電子機器容器（１２）は、その、前記開口軸線（Ａ）と反対側の側面に収容開口（２５）を有することを特徴とするブラシホルダ。
【請求項５】
請求項１〜４のうちいずれか一項記載のブラシホルダにおいて、前記電子機器容器（１２）には、前記開口軸線（Ａ）側の第１空間（２３）と、前記開口軸線（Ａ）と反対側の第２空間（２４）とが設けられ、前記第１空間（２３）には、前記電子機器の回転数センサ（１６）が取付けられていることを特徴とするブラシホルダ。
【請求項６】
請求項５記載のブラシホルダにおいて、前記電子機器容器（１２）内に、前記電子機器の回路基板（１８）が、前記開口軸線（Ａ）に平行に取付けられ、該回路基板（１８）により、前記第１空間（２３）を前記第２空間（２４）から隔てるものとすることを特徴とするブラシホルダ。
【請求項７】
請求項４記載のブラシホルダにおいて、前記収容開口（２５）の領域に、前記電子機器の構成部材を冷却するための冷却素子（１７）が設けられていることを特徴とするブラシホルダ。
【請求項８】
請求項１〜７のうちいずれか一項記載のブラシホルダにおいて、前記回転数センサ（１６）を含む前記電子機器の前記構成部材が、前記電子機器容器（１２）内にてグラウト材の注入が施されることを特徴とするブラシホルダ。
【発明の詳細な説明】
【技術分野】
【０００１】
本発明は、請求項１前段に記載されるタイプのブラシホルダに関する。この種のブラシホルダは、例えばユニバーサルモータに使用され、少なくとも１個の管状カーボンとして構成されたカーボン受容部を有する。このカーボン受容部は、カーボンブラシのガイドを構成し、ブラシホルダの開口の側方に取付けられる。ブラシホルダの開口には、ユニバーサルモータもしくは電動モータのロータが配置される。このロータは、カーボン受容部内の少なくとも１つのカーボンブラシを介して接触可能な整流子を支持する。
【背景技術】
【０００２】
ほとんどのユニバーサルモータにおいて、ブラシホルダと、制御を担当している電子機器とは、互いに独立している。しかしながら、最新のユニバーサルモータにおいては、例えば回転数センサによって回転数を取得することが望まれる。
【０００３】
特許文献１に記載されるブラシホルダは、カーボンブラシのためのカーボン受容部を有するだけでなく、例えば電動スイッチや抵抗器などの様々な電動モータ制御部材のための回路基板としても機能する。これらの電動モータ制御部材は、ブラシホルダに取付けられたコンダクタを介して電気的に接触する。さらに、ブラシホルダには、モータ制御部材のための冷却板が取付けられる。
【０００４】
特許文献１に記載されるブラシホルダは、電動モータ制御部材が、カーボンブラシの作動中に発生するなどした埃や粉塵の侵入に対して保護されていない点において欠点を残す。
【先行技術文献】
【特許文献】
【０００５】
【特許文献１】英国特許出願公開第２３５６９７９（Ａ）号明細書
【発明の概要】
【発明が解決しようとする課題】
【０００６】
したがって、本発明の課題は、上述の欠点を回避し、カーボンブラシの作動中に発生するなどした埃や粉塵の侵入に対して電動モータ制御部材が保護されるブラシホルダを提供することにある。
【課題を解決するための手段】
【０００７】
この課題は、請求項１に記載される特徴を有するブラシホルダにより解決される。これによれば、ブラシホルダは、プレート状の基体から突出する電子機器容器を備える。この電子機器容器は、その開口軸線側の側面が閉じており、電子機器の構成部材の少なくとも一部をその内部空間に収容する。電子機器容器は、基体の開口に隣接する箇所に直接取付けられ、基体の開口の開口軸線に沿う方向に延在する。電子機器の構成部材（特に、埃もしくは粉塵の侵入に対してデリケートな電子機器部材）の少なくとも一部を電子機器容器に収容するという配置にすることで、電子機器部材は、開口に対して、または、電動モータを組立てた後の状態においてはロータに対して、効果的に遮蔽されるので、埃および／または粉塵の侵入から保護される。さらに、上述の電子機器部材の配置により、電子機器部材を冷却するために冷風を使用できる構造となる。
【０００８】
好適には、電子機器容器はプレート状の基体と一体に構成される。この構成により、大幅なコストの上昇を伴うこと無く、例えば合成樹脂部材などとしてブラシホルダを生産することができる。
【０００９】
さらに好適には、前記電子機器容器が、前記開口軸線に平行に延在する。この構成により、モータ周囲の空間を少なくすることができる。
【００１０】
電子機器容器の開口軸線と反対側の側面に収容開口を設けることで、電子機器構成部材を簡単に組み立てられるようになる。この収容開口から、電子機器の構成部材を電子機器容器の内部空間内へと挿入することができる。このとき、開口もしくはロータに対する遮蔽効果は存続する。
【００１１】
好適には、電子機器容器には、開口軸線側の第１空間と、開口軸線と反対側の第２空間とが設けられ、第１空間内には、電子機器の回転数センサが取付けられる。回転数センサを、開口即ちロータ側の第１空間に取付けることで、回転数センサによる回転数検出を最適化できる。
【００１２】
更に、電子機器容器内に、電子機器の回路基板が開口軸線に平行に取付けられ、この回路基板により第１空間を第２空間から隔てるものとすると好適である。この回路基板により、簡単な方法で回転数センサを第１空間内に固定することができる。
【００１３】
好適には、収容開口領域に、電子機器の構成部材を冷却するための冷却素子が設けられる。この構成により、電子機器容器内の電子機器構成部材を、モータ冷風によって極めて効果的に冷却することが可能となる。
【００１４】
好適には、回転数センサを含む電子機器の構成部材は、電子機器容器内にてグラウト材の注入が施される。これにより、埃や粉塵の内部空間への侵入を完全に防ぐことできるほか、電子機器の構成部材を衝撃から保護することも可能となる。
【００１５】
以下、図面に基づき、本発明の詳細を説明する。
【図面の簡単な説明】
【００１６】
【図１】一実施形態における本発明ブラシホルダの、電子機器部材を装着する前の状態の平面図である。
【図２】図１に示される装着前のブラシホルダの側面図である。
【図３】図１に示されるブラシホルダが、電子機器部材を装着した状態の平面図である。
【図４】図３中のIV‐IV線上の縦断面図である。
【発明を実施するための形態】
【００１７】
図１〜４に示されるのは、手工具装置のユニバーサルモータのブラシホルダ１０であり、このブラシホルダ１０には、管状カーボンとして構成された、２つのカーボン受容部１４が取付けられている。カーボン受容部１４は、それぞれ、カーボンブラシ１５をカーボン受容部１４の長手方向軸線に沿ってガイドする役割を担う。このとき、カーボンブラシ１５は、ユニバーサルモータのロータ３０の整流子３１と接触する（特に図３を参照）。
【００１８】
図１および２に、まず、電子機器部材を装着する前のブラシホルダを示す。このブラシホルダは、ベースプレートとして構成されたプレート状の基体１１を備え、この基体１１は、開口１３と、基体１１から突出する電子機器容器１２とを有する。この電子機器容器１２は、その一方の面２１にて開口１３に沿うか、または、図１および２に見て取れるように、部分的に開口１３の軸線方向に投影される領域内に突出する。開口１３により、プレート状の基体１１の平面に対して直交する開口軸線Ａが決まる。電子機器容器１２は、その縦方向において開口軸線Ａに対して平行に延在し、かつ、その開口軸線Ａ側の側面２１が閉じている。電子機器容器１２は内部空間２２を備え、ブラシホルダ（図１および２）に電子機器部材を装着する前には、収容開口２５からこの内部空間へとアクセスすることができる。この収容開口２５は、電子機器容器１２の、側面２１とは反対側の側面に設けられる。
【００１９】
内部空間２２は、センサ領域として構成された第１空間２３と、第２空間２４とに別れる。図４より見て取れるように、開口軸線Ａに隣接する第１空間２３内には、電子機器の回転数センサ１６が取付けられている。内部空間２２に配置された回路基板１８は、第１空間２３と電子機器部材１９との境を成し、第１空間２３と第２空間２４とを隔てる。電子機器部材１９および回転数センサ１６は、電子機器容器１２内にてグラウト材の注入が施される。これにより、埃および粉塵、ならびに機械的衝突に対して保護されるようになる。さらに、収容開口２５領域には、電子機器部材１９および回転数センサ１６を冷却するための冷却素子１７が取付けられる。この冷却素子１７、回路基板１８を有する電子機器部材１９、およびグラウト材は、ねじ止め手段２０によって、電子機器容器１２内外に固定される。
【符号の説明】
【００２０】
１０  ブラシホルダ
１１  基体
１２  電子機器容器
１３  開口
１４  カーボン受容部
１５  カーボンブラシ
１６  回転数センサ
１７  冷却素子
１８  回路基板
１９  電子機器部材
２０  ねじ止め手段
２１  面
２２  内部空間
２３  第１空間
２４  第２空間
２５  収容開口
３０  ロータ
３１  整流子
Ａ  開口軸線
【図１】
2010104224.tif 000003
【図２】
2010104224.tif 000004
【図３】
2010104224.tif 000005
【図４】
2010104224.tif 000006